【事件の表示】
　特許第２９２９１８６号「遊技機」の請求項１に係る特許に対する特許異議の申立てについて、次のとおり決定する。
【結　論】
　訂正を認める。
　特許第２９２９１８６号の請求項１に係る特許を維持する。
【理　由】
１．手続きの経緯
　本件特許第２９２９１８６号は，平成２年１２月２０日出願の特願平２−４１１８７４号の一部を新たな出願とした特願平５−３４５９５４号の一部を更に新たな出願とした特願平６−３２９８５２号の一部を重ねて新たな出願とした特願平９−３５２９０２号に係り、平成１１年５月２１日に設定登録されたものである。
　この特許に対し、異議申立人河井清悦より特許異議の申立てがなされ、当審において取消理由を通知したところ、平成１３年２月２日に訂正請求がなされた。
　
２．訂正の適否についての判断
（１）．訂正の内容
  特許権者が求めている訂正の内容は、訂正請求書に添付した訂正明細書のとおりに訂正しようとするものである。すなわち、
ａ．特許請求の範囲の請求項１を、
「前面枠側に一側を開閉可能に軸着する軸着部を備えた開閉パネルの表面側に、球の貯留部と球を一列状態に案内する誘導案内部とを有する合成樹脂製の球供給皿を設けた遊技機において、
　上記開閉パネルは、長方形状の金属板からなる基板と、該開閉パネルの主要表面側に配設された合成樹脂部材とで構成し、
　上記供給皿の貯留部及び誘導案内部の所定部位には、球が直に接触した状態で流下する金属薄板を敷設し、
　上記金属薄板は、上記誘導案内部から上記貯留部の底面の一部に連続する所要の長さに設定すると共に、当該金属薄板上面は当該誘導案内部及び当該貯留部の他の底面と略一致するように設定し、当該金属薄板後端縁は合成樹脂部材に開設された誘導開口部内で該基板表面に当接し、
　上記合成樹脂部材の所要周縁には、該周縁から後方に向かうリブ状の縁部を一体に形成して成り、
　上記球供給皿を含む開閉可能に構成された開閉パネルの所要部位には、遊技に関わる機能を有する電気部品と球供給部材とを内部に取り付けたケ−スを、上記前面枠側と独立して着脱可能なユニット構成を以て配設し、
　上記電気部品は、当該電気部品から延在する配線を上記開閉パネルの裏側において、上記軸着部側へ集約させた状態の配線処理を行うようにしたことを特徴とする遊技機。」と訂正する。
　
ｂ．発明の詳細な説明の段落【０００９】を、
「【課題を解決するための手段】
  本発明は、上記に鑑み提案されたもので、前面枠（３）側に一側を開閉可能に軸着する軸着部（例えば、軸支承部１０，軸１１）を備えた開閉パネル（５）の表面側に、球の貯留部（２８）と球を一列状態に案内する誘導案内部（２９）とを有する合成樹脂製の球供給皿（６）を設けた遊技機（例えば、パチンコ機１）において、上記開閉パネルは、長方形状の金属板からなる基板（７）と、該開閉パネルの主要表面側に配設された合成樹脂部材（例えば、意匠板８）とで構成し、上記開閉パネルの主要表面側は少なくとも合成樹脂部材（例えば、意匠板８）で構成し、上記供給皿の貯留部及び誘導案内部の所定部位には、球が直に接触した状態で流下する金属薄板（レ−ル３８）を敷設し、上記金属薄板は、上記誘導案内部から上記貯留部の底面の一部に連続する所要の長さに設定すると共に、当該金属薄板上面は当該誘導案内部及び当該貯留部の他の底面と略一致するように設定し、当該金属薄板後端縁は合成樹脂部材に開設された誘導開口部（２７）内で該基板表面に当接し、上記合成樹脂部材の所要周縁には、該周縁から後方に向かうリブ状の縁部（１９）を一体に形成して成り、上記球供給皿を含む開閉可能に構成された開閉パネルの所要部位には、遊技に関わる機能を有する電気部品と球供給部材（４５）とを内部に取り付けたケ−スを、上記前面枠側と独立して着脱可能なユニット構成を以て配設し、上記電気部品は、当該電気部品から延在する配線を上記開閉パネルの裏側において、上記軸着部側へ集約させた状態の配線処理を行うようにしたことを特徴とする。」と訂正する。
　
（２）．訂正の目的の適否及び拡張・変更の存否
　上記ａ．の訂正は、
　特許明細書「【００１３】・・・本例に示す開閉パネル５は、金属板からなる基板７と、プラスチック製の意匠板８とからなる。・・・基板７は、薄い金属板を横長な長方形に成形し、・・・」の記載に基づき、「開閉パネル」を、長方形状の金属板からなる基板と、主要表面側に配設された合成樹脂部材とで構成されたものに限定し、
　同書「【００１４】・・・表面部２０には、・・・上記流入開口部１７に対応する位置に流入口２６を開設して該流入口２６と一連にして下端開口縁が僅かに傾斜した誘導開口部２７を開設してある。」及び「【００２１】・・・レール３８の後端縁を意匠板８の誘導開口部２７内に入れて基板７の表面部１３に当接するとともに球供給皿６の後端を意匠板８の表面部２０に当接し、・・・」の記載に基づき、「金属薄板」を、その後端縁は合成樹脂部材に開設された誘導開口部内で基板表面に当接したものに限定し、
　同書「【００２２】　また、開閉パネル５の裏面には、図３に示すように、スピーカー４１、スイッチ３３などを取り付けると共に、プラスチック製のケース４２を取り付ける。このケース４２の内部には、図６に示すように、基板７の流入開口部１７に上端入口が連通して下端が発射レールに臨んで開口する球供給口４３に連通する球導入流路４４を形成してあり、この球導入流路４４の途中にシャッター３９を設け、球供給口４４の手前に球供給部材４５を揺動自在に軸着し、該球供給部材４５に設けた永久磁石４６に臨ませて電磁石４７を取り付け、前記した球供給皿６の駆動操作機構４０をシャッター３９に接続してある。」の記載から、ケースの内部には電気部品（電磁石４７）と球供給部材４５とが（ユニット構成に）取り付けられていることに基づき、「ユニット構成」を、遊技に関わる機能を有する電気部品と球供給部材とを内部に取り付けたケ−スに限定したものであって、
特許請求の範囲の減縮を目的とするものである。
　
　上記ｂ．の訂正は、発明の詳細な説明の記載を、訂正後の特許請求の範囲の記載と整合させるためのものであるから、明りょうでない記載の釈明を目的とするものである。
　
　そして、上記ａ．及びｂ．の訂正は、願書に添付した明細書又は図面に記載した事項の範囲内においてするものであって新規事項を追加するものでなく、かつ、実質上特許請求の範囲を拡張し、又は変更するものではない。
　
（３）．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについて
（１）．申立て理由の概要
　訂正前の本件請求項１に係る発明は、下記の甲第１号証ないし甲第６号証の刊行物に記載された発明に基づいて、当業者が容易に発明をすることができたものであるから、その特許は、特許法第２９条第２項の規定に違反してされたものであり、取り消されるべきである。
　　　　　　　　　　　　　　　記
甲第１号証：実願昭６０−１６５７０８号（実開昭６２−７４８６３号）のマイクロフィルムフィルム
甲第２号証：実願昭６０−１４７７３２号（実開昭６２−５６０６３号）のマイクロフィルムフィルム
甲第３号証：特開昭６０−５１８２号公報
甲第４号証：実願昭６０−１７８６８５号（実開昭６２−８７６７６号）のマイクロフィルムフィルム
甲第５号証：実願昭５６−４９４０７号（実開昭５７−１６３２７９号）のマイクロフィルムフィルム
甲第６号証：実願昭５６−４８０７６号（実開昭５７−１６０７８１号）のマイクロフィルムフィルム
　
（２）．本件発明
　訂正明細書の特許請求の範囲の請求項１に記載された発明（以下、本件発明という。）は、次の事項により特定されるものである。
「前面枠側に一側を開閉可能に軸着する軸着部を備えた開閉パネルの表面側に、球の貯留部と球を一列状態に案内する誘導案内部とを有する合成樹脂製の球供給皿を設けた遊技機において、
　上記開閉パネルは、長方形状の金属板からなる基板と、該開閉パネルの主要表面側に配設された合成樹脂部材とで構成し、
　上記供給皿の貯留部及び誘導案内部の所定部位には、球が直に接触した状態で流下する金属薄板を敷設し、
　上記金属薄板は、上記誘導案内部から上記貯留部の底面の一部に連続する所要の長さに設定すると共に、当該金属薄板上面は当該誘導案内部及び当該貯留部の他の底面と略一致するように設定し、当該金属薄板後端縁は合成樹脂部材に開設された誘導開口部内で該基板表面に当接し、
　上記合成樹脂部材の所要周縁には、該周縁から後方に向かうリブ状の縁部を一体に形成して成り、
　上記球供給皿を含む開閉可能に構成された開閉パネルの所要部位には、遊技に関わる機能を有する電気部品と球供給部材とを内部に取り付けたケ−スを、上記前面枠側と独立して着脱可能なユニット構成を以て配設し、
　上記電気部品は、当該電気部品から延在する配線を上記開閉パネルの裏側において、上記軸着部側へ集約させた状態の配線処理を行うようにしたことを特徴とする遊技機。」
　
（３）．甲各号証の刊行物に記載された発明
　甲第１号証の刊行物には、スピーカ６０や発光源６７を着脱可能に構成し、その各導線を束ねて前面板６のヒンジピン側から導出して本体側に配線すること（第１５頁６行ないし１７行）が記載されている。
　甲第２号証の刊行物には、パチンコ機の第１補助部材の裏面が、スピーカを挿入するという簡単な作業のみで、ねじ等を使用することなく装着され得る構成となっており、スピーカのコードは補助孔から引き出され、所定の端子にコネクタ接続されること（第８頁７行ないし１９行）が記載されている。
　甲第３号証の刊行物には、必要な溝部や貫通孔等が形成されたパチンコ機の前枠を、合成樹脂で一体成型したこと（第２頁右上欄下１行ないし左下欄２行）が記載されている。
　甲第４号証の刊行物には、前板とガラス枠とを樹脂成形により一体化しこれを本体枠に開閉自在に軸着すること（第３頁２行ないし４行）が、球を貯留するための上皿が取り付けられた前板と・・・ガラス枠とがそれぞれ別体に構成された従来技術の改良手段（第２頁９行ないし１２行）が記載されている。
　甲第５号証の刊行物には、パチンコ機であって、開閉自在の・・・基板の前面に・・・貯留部と、貯留部を延設してなる整流部を形成した打球供給皿を装着すること（実用新案登録請求の範囲）、整流部２７の底面には、金属性プレート９３を貯留部２６の底面３８に亘って敷設し、打球の転動に対する摩擦を減じて円滑な打球の流れを図ること（第７頁末行ないし第８頁２行）が記載されている。
　甲第６号証の刊行物には、貯留部２６、整流部２７、抜取分流装置収納部２８、分流樋２９及び窓枠３０を合成樹脂を以って一体的に成形したこと（第８頁４行ないし８行）、整流部２７の底面には、金属製プレート９３を貯留部２６の底面３８に亘つて敷設したこと（第１０頁２行ないし３行）が記載されている。
　
（４）．当審の判断
　本件発明と甲第５号証の刊行物に記載された発明とを対比すると、後者の「パチンコ機」、「開閉自在な基板の前面」及び「貯留部と、貯留部を延設してなる整流部を形成した打球供給皿」は、前者の「遊技機」、「開閉可能な開閉パネル表面側」及び「球の貯留部と球を一列状態に案内する誘導案内部とを有する球供給皿」にそれぞれ相当し、後者の「整流部２７の底面から貯留部２６の底面に亘って敷設された金属性プレート９３」は、前者の「球供給皿の貯留部及び誘導案内部の所定部位」であって「誘導案内部から貯留部の底面の一部に連続する所要の長さに設定」され「球」を「直に接触した状態で流下」させる「金属薄板」に相当するから、両者は、開閉可能な開閉パネルの表面側に、球の貯留部と球を一列状態に案内する誘導案内部とを有する球供給皿を設けた遊技機において、球供給皿の貯留部及び誘導案内部の所定部位には、球が直に接触した状態で流下する金属薄板を敷設し、金属薄板は、誘導案内部から貯留部の底面の一部に連続する所要長さに設定した遊技機である点で一致し、下記の点で相違している。
（１）前者の開閉パネルは、長方形状の金属板からなる基板と、開閉パネルの主要表面側に配設された合成樹脂部材とで構成されているものであるのに対し、後者は、その材質等が明らかでない点。
（２）前者の金属薄板上面は、誘導案内部及び当該貯留部の他の底面と略一致するように設定されているのに対し、後者は、このことが明らかでない点。
（３）前者の金属薄板後端縁は、合成樹脂部材に開設された誘導開口部内で基板表面に当接しているのに対し、後者は、この点が明らかでない点。
（４）前者の開閉パネルの合成樹脂材には、その所要周縁から後方に向かうリブ状の縁部が一体に形成されているものであるのに対し、後者は、このことが明らかでない点。
（５）前者は、開閉パネルの所要部位に、遊技に関わる機能を有する電気部品と球供給部材とを内部に取り付けたケ−スを、前面枠側と独立して着脱可能なユニット構成を以て配設したものであるのに対し、後者は、このことが明らかでない点。
　
　上記相違点について検討する。
（相違点（１）について）
　本件発明の開閉パネルは、基板が金属板で、主要表面側が合成樹脂で、それぞれ構成されており、二層構造をなしているものである。
　甲第１号証ないし甲第４号証及び甲第６号証の各刊行物には、このような構成は記載されておらず、本件発明のように、ピアノ線による不正行為（熱したピアノ線によって開閉パネルを溶かして孔を開けることによる内部機構の不正な操作）を防止し、かつ、装飾効果を高めることが両立できるものではない（平成１３年２月２日付け意見書第５頁９ないし１９行参照）。
　
（相違点（３）について）
　本件発明の金属薄板後端縁は、合成樹脂部材に開設された誘導開口部内で基板表面に当接しているものである。
　甲第１号証ないし甲第４号証及び甲第６号証の各刊行物には、このような構成は記載されておらず、本件発明のように、流下する球の側面が合成樹脂部材（意匠板８）に接することがなく球がスムーズに流下できるものではない（同書第６頁７ないし１６行参照）。
　
　したがって、甲第１ないし甲第４号証及び甲第６号証には、少なくとも、本件発明と甲第５号証記載の発明との相違点（１）、（３）が記載されておらず、甲第１ないし甲第４号証及び甲第６号証記載の発明を甲第５号証記載の発明に適用しても、本件発明にはなりえない。
　そして、本件発明は、上記の相違点の構成を含む訂正明細書の特許請求の範囲の請求項１に記載された構成により、開閉パネルのデザインの自由度を高め、遊技機の外観を良好にすることができる、球供給皿の底面の摩耗を防止し、球垢等の汚れが付着することを防ぎ、球の流下を安定させることができる、合成樹脂部材の剛性を高め、部材を薄く成形することができ、肉ひけ等を防止できるという優れた効果を奏するものであると認められる。
　それゆえ、本件発明は、その出願前に頒布された甲第１号証ないし甲第６号証の各刊行物に記載された発明に基づいて、当業者が容易に発明をすることができたものであるとは認められない。
　
（５）．むすび
　以上のとおりであるから、特許異議の申立ての理由によっては本件発明についての特許を取り消すことはできない。
　また、他に本件発明についての特許を取り消すベき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１３年３月２９日（２００１．３．２９）
【訂正の要旨】
訂正の要旨
ａ．特許請求の範囲の請求項１を、特許請求の範囲の減縮を目的として、
「前面枠側に一側を開閉可能に軸着する軸着部を備えた開閉パネルの表面側に、球の貯留部と球を一列状態に案内する誘導案内部とを有する合成樹脂製の球供給皿を設けた遊技機において、
　上記開閉パネルは、長方形状の金属板からなる基板と、該開閉パネルの主要表面側に配設された合成樹脂部材とで構成し、
　上記供給皿の貯留部及び誘導案内部の所定部位には、球が直に接触した状態で流下する金属薄板を敷設し、
　上記金属薄板は、上記誘導案内部から上記貯留部の底面の一部に連続する所要の長さに設定すると共に、当該金属薄板上面は当該誘導案内部及び当該貯留部の他の底面と略一致するように設定し、当該金属薄板後端縁は合成樹脂部材に開設された誘導開口部内で該基板表面に当接し、
　上記合成樹脂部材の所要周縁には、該周縁から後方に向かうリブ状の縁部を一体に形成して成り、上記球供給皿を含む開閉可能に構成された開閉パネルの所要部位には、遊技に関わる機能を有する電気部品と球供給部材とを内部に取り付けたケースを、上記前面枠側と独立して着脱可能なユニット構成を以て配設し、
　上記電気部品は、当該電気部品から延在する配線を上記開閉パネルの裏側において、上記軸着部側へ集約させた状態の配線処理を行うようにしたことを特徴とする遊技機。」と訂正する。
ｂ．発明の詳細な説明の段落【０００９】を、不明りょうな記載の釈明を目的として、
「【課題を解決するための手段】
　本発明は、上記に鑑み提案されたもので、前面枠（３）側に一側を開閉可能に軸着する軸着部（例えば、軸支承部１０，軸１１）を備えた開閉パネル（５）の表面側に、球の貯留部（２８）と球を一列状態に案内する誘導案内部（２９）とを有する合成樹脂製の球供給皿（６）を設けた遊技機（例えば、パチンコ機１）において、上記開閉パネルは、長方形状の金属板からなる基板（７）と、該開閉パネルの主要表面側に配設された合成樹脂部材（例えば、意匠板８）とで構成し、上記開閉パネルの主要表面側は少なくとも合成樹脂部材（例えば、意匠板８）で構成し、上記供給皿の貯留部及び誘導案内部の所定部位には、球が直に接触した状態で流下する金属薄板（レール３８）を敷設し、上記金属薄板は、上記誘導案内部から上記貯留部の底面の一部に連続する所要の長さに設定すると共に、当該金属薄板上面は当該誘導案内部及び当該貯留部の他の底面と略一致するように設定し、当該金属薄板後端縁は合成樹脂部材に開設された誘導開口部（２７）内で該基板表面に当接し、上記合成樹脂部材の所要周縁には、該周縁から後方に向かうリブ状の縁部（１９）を一体に形成して成り、上記球供給皿を含む開閉可能に構成された開閉パネルの所要部位には、遊技に関わる機能を有する電気部品と球供給部材（４５）とを内部に取り付けたケースを、上記前面枠側と独立して着脱可能なユニット構成を以て配設し、上記電気部品は、当該電気部品から延在する配線を上記開閉パネルの裏側において、上記軸着部側へ集約させた状態の配線処理を行うようにしたことを特徴とする。」と訂正する。
（５４）【発明の名称】
遊技機
（５７）【特許請求の範囲】
　【請求項１】　前面枠側に一側を開閉可能に軸着する軸着部を備えた開閉パネルの表面側に、球の貯留部と球を一列状態に案内する誘導案内部とを有する合成樹脂製の球供給皿を設けた遊技機において、
　上記開閉パネル
は、長方形状の金属板からなる基板と、該開閉パネルの主要表面側に配設された
と
　上記供給皿の貯留部及び誘導案内部の所定部位には、球が直に接触した状態で流下する金属薄板を敷設し、
　上記金属薄板は、上記誘導案内部から上記貯留部の底面の一部に連続する所要の長さに設定すると共に、当該金属薄板上面は当該誘導案内部及び当該貯留部の他の底面と略一致するように設定し、
当該金属薄板後端縁は合成樹脂部材に開設された誘導開口部内で該基板表面に当接し、
　上記合成樹脂部材の所要周縁には、該周縁から後方に向かうリブ状の縁部を一体に形成して成り、
　上記球供給皿を含む開閉可能に構成された開閉パネルの所要部位には、遊技に関わる機能を有する電気部品
と球供給部材とを内部に取り付けたケース
、
　上記電気部品は、当該電気部品から延在する配線を上記開閉パネルの裏側において、上記軸着部側へ集約させた状態の配線処理を行うようにしたことを特徴とする遊技機。
【発明の詳細な説明】
　【０００１】
　【発明の属する技術分野】
　本発明は、前面枠側に一側を開閉可能に軸着する軸着部を備えた開閉パネルの表面側に、球の貯留部と球を一列状態に案内する誘導案内部とを有する合成樹脂製の球供給皿を設けた遊技機に関するものである。
　【０００２】
　【従来の技術】
　従来より、遊技機として広く知られたパチンコ機は、例えば実開昭５７‐１６０７８１号公報に記載されているように、前面枠の開放縁に取り付けた金枠に金属板製の開閉パネルの一側を開閉自在に軸着し、この開閉パネルの前面に球供給皿を取り付けてある。
　【０００３】
　また、上記パチンコ機の遊技に関連した効果音等を発するスピーカを上記球供給皿に装着しているものもある（例えば、実開昭６２−７４８６３号公報）。
　【０００４】
　【発明が解決しようとする課題】
　しかしながら、従来のパチンコ機における開閉パネルは、金属面が露呈している構成なので装飾性に乏しく、装飾効果を高めようとしても、単に表面をメッキして輝かせたり、エンブレムを張り付ける程度の加工しかできなかった。特に、来の遊技店の内装デザインが多様化されて向上しているばかりか、遊技機においても、女性客等ヘアピールすべく様々な意匠（役物の形状、模様もしくは色彩又はこれらの結合）を凝らした遊技盤が用いられるようになり、遊技環境が変化してきているにも拘わらず、依然として球供給皿を有する開閉パネルの金属面が特に野暮つたい印象を与えてしまうことから、遊技機全体の外観における装飾効果を十分に高めるには至っていなかった。
　【０００５】
　また、開閉パネルの少なくとも前面側をプラスチック面で形成した場合には、開閉パネルの前面を多様に装飾し易くなる反面、プラスチックのために剛性が不足することになる。そして、剛性を高めるために、プラスチックの肉厚を厚くしようとするとプラスチック表面に金型成形時における肉引け等が生じ、プラスチックにして開閉パネルの装飾性を高めようとする課題に相反することとなってしまう。
　【０００６】
　さらに、近年のパチンコ機においては、ゲーム性の多様化に伴って、球供給皿を含む開閉パネルに電気部品を装着するものも増えているので、電気部品を装着することから、開閉自在に設けられている開閉パネルの軸着部との位置関係により電気部品から延在する配線の処理が煩雑となっていた。つまり、開閉パネルの裏面側には発射位置へ球供給皿の球を供給する装置や賞球が流出される樋等、各種の装置が配設されているため複雑に入り組んでおり、電気部品から延在する配線を処理するのに長い配線を引き廻すようになって配線処理が煩雑になってしまうばかりか、断線の原因にもなり易い。
　【０００７】
　そこで、本発明は、開閉パネルの主要表面側を少なくとも合成樹脂部材で構成することにより、球供給皿と相侯って時流に合わせた遊技機全体の外観における装飾効果を十分、且つ積極的に高めると共に、合成樹脂部材の周辺に、後方に向かって突設する縁部を設けて構成することにより、開閉パネル表面側のプラスチックの肉厚を薄くすることができ、肉厚による金型成形時における肉引け等も防止でき、且つ剛性も十分に確保でき、時流にあった外観を容易に成形できる遊技機の提供を目的とする。
　【０００８】
　さらには、この球供給皿を設けた開閉パネルの軸着部と球供給皿を含む開閉パネルに取り付ける電気部品との配置構成に工夫を凝らして電気部品から延在する配線の処理を簡略化し、最短の長さの配線で済ませて、発射位置へ球供給皿の球を供給する装置等の清掃や保守点検作業を行う為に開閉頻度の比較的に多い開閉パネルの開閉動作による断線等の不都合を無くした遊技機を提供することを目的とする。
　【０００９】
　【課題を解決するための手段】
　本発明は、上記に鑑み提案されたもので、別面枠（３）側に一側を開閉可能に軸着する軸着部（例えば、軸支承部１０，軸１１）を備えた開閉パネル（５）の表面側に、球の貯留部（２８）と球を一列状態に案内する誘導案内部（２９）とを有する合成樹脂製の球供給皿（６）を設けた遊技機（例えば、パチンコ機１）において、上記開閉パネル
は、長方形状の金属板からなる基板（７）と、該開閉パネルの主要表面側に配設された
と
当該金属薄板後端縁は合成樹脂部材に開設された誘導開口部（２７）内で該基板表面に当接し、
品と球供給部材（４５）とを内部に取り付けたケース
、
　【００１０】
　上記のように構成した遊技機においては、開閉パネルの主要表面側を合成樹脂部材とすることにより、色彩及び形状の自由度が高くなる。従って、時流に合わせて装飾性に富んだ球供給皿と開閉パネルとを適宜に組み合わせた斬新な配置構成が可能となる。また、合成樹脂部材の周辺に、後方に向かって突設する縁部を設けることにより、開閉パネル表面側のプラスチックの肉厚を薄くすることができる。従って、肉厚による金型成形時における肉引け等も防止できて合成樹脂部材の美観を損なうことがない。さらに縁部を設けることにより肉厚が薄くても開閉パネルの剛性を十分に確保できる。
　【００１１】
　また、球供給皿を含む開閉パネルに設けた電気部品から延在する配線が開閉可能な開閉パネルの裏面側の軸着部側に集約されて処理されるので、電気部品から延在する配線の長さが最短にできると共に、開閉パネル裏面側における配線処理が簡略化されて電気部品から延在する配線の断線が生じ難くなる。
　【００１２】
　【発明の実施の形態】
　本発明に係る遊技機としてのパチンコ機１は、図１に示すように、機枠２に額縁状の前面枠３を開閉可能に蝶着し、前面枠３の開口部にはガラス枠４と開閉パネル５をそれぞれ独立して開閉可能に軸着し、開閉パネル５の前面に球供給皿６を取り付けてある。
　【００１３】
　而して、本例に示す開閉パネル５は、金属板からなる基板７と、プラスチック製の意匠板８とからなる。すなわち、この意匠板８によって開閉パネル５の主要表面側が合成樹脂部材で構成されることとなり、遊技機全体としての外観に影響を及ぼす開閉パネル５の主要表面を装飾性に富んだものに形成できる。また、基板７は、薄い金属板を横長な長方形に成形し、上端縁、下端縁、右側端縁には後方に向けて屈曲部９…を形成し、右側端縁には後方に向けて巻き込むようにして軸支承部１０を形成して該支承部１０により軸１１を固定し、上端縁の屈曲部９には更に下向きコ字状の阻止部１２を形成してピアノ線等の侵入を不能としてある。また、表面部１３の軸着基端側、即ち、図２中左側の上部には横長四角形の流出開口部１４を開設し、該流出開口部１４の下方に円形のスピーカー用開口部１５と略四角形のスイッチ用開口部１６を開設し、自由端側、即ち、右側には球が一列で通過し得る大きさの流入開口部１７を開設し、上端縁近傍の左右及び中央、並びに下端縁近傍の左右及び中央にそれぞれ止着孔１８…を開設する。
　【００１４】
　本例で示す意匠板８は、上記基板７の表面部１３と同じ大きさ、或は僅かに小さな横長長方形のプラスチック製薄板状体であり、四周には後方に向かう縁部１９…を形成し、各縁部１９と表面部２０とが交わる部分、縁部１９，１９同士が交わる部分は曲面で構成してある。このような縁部１９…を形成することにより、薄板状体の意匠板８の剛性が高められるのである。そして、表面部２０には、基板７の流出開口部１４に対応する位置に横長四角形の流出口２１を開設するとともに該流出口２１の開口縁から後向きに断面略四角形の案内樋２２を意匠板８と一体成形して突設し、流出口２１の下方にはスピーカー用開口部１５に対応する位置に細かな効果音出口２３…を開設し、スイッチ用開口部１６に対応する位置にはスイッチ操作部材２４を保持するため前方に突出したスイッチ操作部材ホルダ２５を意匠板８と一体成形し、上記流入開口部１７に対応する位置に流入口２６を開設して該流入口２６と一連にして下端開口縁が僅かに傾斜した誘導開口部２７を開設してある。
　【００１５】
　なお、誘導開口部２７は、後述する球供給皿６の貯留部２８乃至誘導案内部２９の底面に沿うように位置及び傾斜を設定してあり、上下方向の長さは球の直径よりも大きく設定してある。また、この意匠板８の表面部２０には装飾効果を高めるために適宜な色彩、模様を付したり、或は、エンブレム３０を止着し、表面部２０には意匠板８を成形する際に、レリーフ模様を施してもよい。
　【００１６】
　また、意匠板８の裏面には、図４に示すように、基板７の止着孔１８に対応する位置には複数の屈曲脚３１…を有する止着具３２を設ける。したがって、意匠板８を基板７の表面部１３に取り付けるには、意匠板８の各止着具３２を基板７の止着孔１８内に前方から挿入し、屈曲脚３１…を折り曲げることにより止着することができる。なお、スイッチ操作部材ホルダ２５内にスイッチ操作部材２４を嵌め込んでおき、止着後に基板７に取り付けたスイッチ本体３３の操作子がスイッチ操作部材２４の前後動によって作動するようにしておく。
　【００１７】
　上述したように、本実施形態に係るパチンコ機１の開閉パネル５の主要表面側には意匠板８の表面部２０が位置することとなるので、色彩や自由度の高い合成樹脂製の意匠板８で構成する開閉パネル５の表面形状を、時流に則した装飾効果の高いものにできる。特に、打球発射機構へ遊技媒体たる遊技球を供給する球供給皿６は、貯留球の残量確認等で遊技者の注意を引きやすい部位であることから、当該球供給皿６が設けられる開閉パネル５の表面形状は、遊技機全体の外観から受ける印象に強く関与するので、開閉パネル５の主要表面に装飾性を付加することにより、遊技者に与える視覚的効果を高めることができる。なお、本実施例においては、意匠板８の四側縁に各々縁部１９…を形成するものとしたが、少なくとも開閉パネル５における主要表面側のみを合成樹脂部材としてあれば良い。また、本実施形態においては、開閉パネル５の前面に合成樹脂部材となる意匠板８を設けるものとしたが、開閉パネル５全体を合成樹脂で構成しても同様の効果が得られることは言うまでもない。
　【００１８】
　更に、本実施形態においては、球供給皿６を含む開閉パネル５に設けた電気部品であるスイッチ本体３３から延在する配線が開閉可能な開閉パネルの軸支承部１０および軸１１の近傍（軸着部側）に配線処理するので（図３参照）、開閉パネル５を開成した際にはスイッチ本体３３から延在する配線が軸着部側に位置一ることとなるため、スイッチ本体３３から延在する配線が、打球供給機構（発身位置へ球供給皿６の球を供給する機構部）等の清掃や保守点検作業の妨げとなることを防止できると共に、発射レールなどの清掃のために開閉頻度の比較的に多い開閉パネル５の開閉動作による断線等の不都合を防止できる。しかも、スイッチ本体３３の配設位置を軸着部側とすることで、スイッチ３３から延在する配線の長さを最短にすることができるので、スイッチ本体３３から延在する配線の文理を簡略化できるという効果もある。
　【００１９】
　球供給皿６は、図５に示すように、後側面が開放して前後幅が比較的広い貯留部２８と、該貯留部２８の右側に次第に流路幅を狭めて貯留部２８から流下してくる球を一列に整列しながら誘導する誘導案内部２９とを備えた皿本体３４と、この皿本体３４の前部及び下部に取り付ける第１皿飾り部材３５、第２皿飾り音材３６、第３皿飾り部材３７などからなり、皿本体３４の後端縁に断面コ字状の薄い金属板からなるレール３８を嵌め付けて誘導案内部２９の底部から貯留部２８の底部の一部を他の部分の底面と面一状にして被覆してある。このように、パチンコ機１の球供給皿６の貯留部２８及び誘導案内部２９にレール３８を面一状にして被覆しておくことで、流下する球が直に接触する底面としての機能を金庫板製のレール３８の上面が担うことになる。
　【００２０】
　また、レール３８は、後端縁が貯留部２８及び誘導案内部２９の後端縁からほぼ意匠板８の厚さ分だけ後方に突出する状態で止着されている。従って、球供給皿６内から打球発射機構の発射位置へ一列状に流下する球は、球供給皿６の貯留部２８及び誘導案内部２９との所定部位に構成した金属面（金属板製のレール３８）に接触して流下することとなり、遊技球が直に接触する頻度の高い部位における合成樹脂製である球供給皿６の底面の合成樹脂面に球垢等の汚れを付着することを防ぎ、清掃作業等の煩雑さを軽減できると共に、汚損によって球供給皿６の美観損ねることを効果的に防ぐことができる。なお、上記した第１皿飾り部材３５には貯留部２８内の球を抜き出すシャッター３９の駆動操作機構４０を組み込んである。
　【００２１】
　上記した構成からなる球供給皿６を開閉パネル５に取り付けるには、レール３８の後端縁を意匠板８の誘導開口部２７内に入れて基板７の表面部１３に当接するとともに球供給皿６の後端を意匠板８の表面部２０に当接し、この状態で基板７の裏側から挿通したねじの先端を球供給皿６のねじ孔内にねじ込むことにより基板７、意匠板８、及び球供給皿６を三位一体にして組み付ける。このようにして球供給皿６を開閉パネル５の前面に取り付けると、誘導案内部２９の傾斜下端が意匠板８の流入口２６に位置すると共に、意匠板８の流出口２１の前方に貯留部２８が位置する。
　【００２２】
　また、開閉パネル５の裏面には、図３に示すように、スピーカー４１、スイッチ３３などを取り付けると共に、プラスチック製のケース４２を取り付ける。このケース４２の内部には、図６に示すように、基板７の流入開口部１７に上端入口が連通して下端が発射レールに臨んで開口する球供給口４３に連通する球導入流路４４を形成してあり、この球導入流路４４の途中にシャッター３９を設け、球供給口４４の手前に球供給部材４５を揺動自在に軸着し、該球供給部材４５に設けた永久磁石４６に臨ませて電磁石４７を取り付け、前記した球供給皿６の駆動操作機構４０をシャッター３９に接続してある。
　【００２３】
　開閉パネル５の軸１１を前面枠３側の軸受に差し込んで開閉パネル５を閉じると、基板７の流出開口部１４を貫通して開閉パネル５の後方に突出した案内樋２２がパチンコ機１本体側の賞球排出樋（図示せず）に接続し、球供給口４３が発射レールの上方に位置する。
　【００２４】
　したがって、この状態で遊技者が球を球供給皿６内に投入すると、これらの球は誘導案内部２９によって一列に整列されながら流下し、誘導案内部２９を流下した球は意匠板８の流入口２６、基板７の流入開口部１７を通過してケース４２内の球導入流路４４を流下し、最先の球は球供給部材４５に当って停止する。なお、遊技者が球を貯留部２８内に投入した場合、開閉パネル５の前面に位置する球は、球面の下端が金属製のレール３８に接触して支持され、球面の開閉パネル５側端部が意匠板８の誘導開口部２７内に入って金属板製の基板７の表面に接触するので、転がり抵抗がプラスチックに接触して転動する場合よりも小さい。したがって、球は小さな転がり抵抗で円滑に流下することができる。
　【００２５】
　このため、底面が僅かな下り傾斜であっても貯留部２８や誘導案内部２９で球止まりが発生することは殆どない。また、意匠板８の表面部２０において、金属製の球が接触しそうな部分は誘導開口部２７として開口しているので、プラスチック製の意匠板８が金属製球との接触によって表面が荒れたり、汚れたりすることが殆どない。
　【００２６】
　遊技者が発射操作ハンドル４８を操作すると、打球発射機構の発射装置が作動して発射杆が往復回動するとともに、この発射杆の回動に同期して電磁石４７が励磁、消磁を繰り返す。電磁石４７が励磁、消磁を繰り返すと、球供給部材４５が軸４９を中心に揺動するので、これにより球導入流路４４内の球が最先のものから順に一個宛球供給口より発射レールの発射位置に供給される。そして、発射位置に供給された球は、発射杆の回動により遊技盤表面の遊技部内に発射される。
　【００２７】
　遊技部内に発射した球が入賞すると、賞球排出装置が作動して所定数の賞球が賞球排出樋内を流下し、これらの賞球が案内樋２２から貯留部２８内に排出される。また、開閉パネル５に設けたスイッチの操作部材２４を遊技者が操作するなどの外部操作を行うと、例えば可変表示装置の可変表示を停止できるなど、所定の技術介入が可能である。
　【００２８】
　また、遊技を終了して球供給皿６内の球を景品と交換したり、或は他のパチンコ機１に移動する場合には、球供給皿６の球抜き操作部を操作することによりシャッター３９を移動すると、球供給皿６、及び誘導案内部２９内の球が球抜き流下路を通って下皿５０に排出される。
　【００２９】
　なお、開閉パネル５には、前記したスピーカー４１や外部操作用スイッチ３３のほかに、遊技に係わる部材を組み付けることができる。例えば、図７に示すように、意匠板８の表面部２０にカード挿入口５１を開設すると共に、該カード挿入口５１の周囲に傾斜面を有するカード挿入案内部５２を一体成形し、基板７にはカード挿入口５１に対応する位置に開口部５３を開設し、基板７の裏面側にカードリーダーライター５４を取り付けるように構成してもよい。
　【００３０】
　【発明の効果】
　以上説明したように本発明に係る遊技機は、開閉パネルの主要表面側を少なくとも合成樹脂部材で構成するものとしたので、色彩及び形状の自由度が高い開閉パネルの外観を得ることができ、球供給皿共々時流に合う意匠を凝らした装飾を開閉パネル表面へ多様に施すことが可能になる。従って、従来の遊技機に比較すると、比較的遊技者の視線を集め易い開閉パネルのデザイン自由度を高めて外観を良好ならしめることにより、遊技機全体の外観における装飾効果を十分、且つ積極的に高められる遊技機と成し得るのである。
　【００３１】
　また、一列状に球を案内する誘導案内部と、該誘導案内部に連なる貯留部との所定部位に対して金属面を形成したので、球供給皿を流下する遊技店名などが刻印された球は、金属面に直に接触して一列状に流下することとなり、遊技球の接触頻度の高い部位における球供給皿の底面の摩耗を防止できと共に、球垢等の汚れが付着することも防いで、球の流下を安定させることができる。しかも、清掃作業等の煩雑さを軽減できると共に、上記球の刻印による汚損によって球供給皿の美的外観が損なわれることを効果的に防ぐという効果もある。
　【００３２】
　更に、合成樹脂部材の周縁にリブ状の縁部を設けることにより、合成樹脂部材自体の剛性を高めることが可能となって、合成樹脂部材自体を薄く成形することができるので、それにより金型成型時における肉引け等を防止できて、時流にあった外観を容易に成形することができるという効果がある。
　【００３３】
　加えて、球供給皿を含む開閉パネルに設けた電気部品から延在する配線が開閉可能な開閉パネルの軸着部側に配線処理することにより、開閉パネルを開成した際には電気部品から延在する配線が軸着部側に位置するため、電気部品から延在する配線が発射位置へ球供給皿の球を供給する装置等の清掃や保守点検作業の妨げとなることを防止できると共に、発射レールなどの清掃のために開閉頻度の比較的に多い開閉パネルの開閉動作による断線等の不都合を防止できる。また、電気部品から開閉パネルの軸着部まで延在する配線の長さを最短にすることで、電気部品から延在する配線の処理を簡略化できるという効果もある。
【図面の簡単な説明】
　【図１】
　遊技機としてのパチンコ機の前面枠を開放した状態における斜視図である。
　【図２】
　開閉パネルの基板と意匠板を分離した状態における斜視図である。
　【図３】
　開閉パネルの裏側から見た斜視図である。
　【図４】
　基板と意匠板とを接合する状態を示す斜視図である。
　【図５】
　球供給皿の分解斜視図である。
　【図６】
　ケースの分解斜視図である。
　【図７】
　開閉パネルにカードリーダーライターを取り付けた実施形態の断面図である。
　【符号の説明】
　１　　パチンコ機
　５　　開閉パネル
　６　　球供給皿
　８　　意匠板
　１０　軸支承部
　１１　軸
　１９　縁部
　２８　貯留部
　２９　誘導案内部
　３３　外部操作用スイッチ
　３８　レール